(57)【要約】【課題】開封したときに、表裏のフィルムの開封線がずれて形成され、指で摘みやすく、口開きが容易にできる包装袋を提供する。【解決手段】表フィルム１と裏フィルム２を重ね合わせ、重ね合わせた表フィルムと裏フィルムの周縁部をシールし、シール部３、４、５、６を設けた包装袋１００であって、表フィルムと裏フィルムのそれぞれに、開封するための切断を誘導する易切断線を、形の異なる表側易切断線７と裏側易切断線８とで設け、表側易切断線は、２つの易切断線７ａ、７ｂからなり、２つの易切断線は互いに、包装袋の左右中央で交差している。【選択図】図１
2016113209.tif 000002
【特許請求の範囲】
【請求項１】
表フィルムと裏フィルムを重ね合わせ、重ね合わせた前記表フィルムと前記裏フィルムの周縁部をシールした包装袋であって、
前記表フィルムと前記裏フィルムのそれぞれに、開封するための切断を誘導する易切断線を形の異なる表側易切断線と裏側易切断線とで設け、前記表側易切断線は複数の易切断線からなり、複数の前記易切断線は互いに一箇所以上で交差していることを特徴とする包装袋。
【請求項２】
複数の前記易切断線が、左右中央で互いに交差していることを特徴とする請求項１に記載の包装袋。
【請求項３】
前記表側易切断線と前記裏側易切断線の左右のシール部の一方あるいは両方に、引き裂き開始部が設けられていることを特徴とする請求項１または２に記載の包装袋。
【発明の詳細な説明】
【技術分野】
【０００１】
本発明は、包装袋に関するものである。
【背景技術】
【０００２】
従来から、内容物を収容した包装袋を開封しやすくするために、包装袋の開封予定線の左右両端部、または、いずれかの端部にノッチを設け、開封予定線に直線状のハーフカットを包装袋の表裏２枚のフィルムそれぞれに設けた包装袋があった。これらの包装袋は、ノッチの上下それぞれを指で摘んで、直線状のハーフカットに沿って引っ張ると容易に引き裂かれて開封することができる。
【０００３】
しかし、このような包装袋は容易に開封できるが、内容物を取り出したりするために口を開こうとすると、包装袋の引き裂かれた開封線が表裏のフィルムで同一位置にあるため、口を開くために指で表裏のフィルムをそれぞれ摘もうとしても、重なり合った表裏フィルムの間に指を入れることが難しく、容易に口を開くことができなかった。
【０００４】
これを回避するために、表フィルムと裏フィルムに異なる開封予定線を設けて、開封後の開封線が表裏のフィルムで同一位置にならないようにして、指で摘みやすく、口開きを容易にした包装袋があった。
【０００５】
例えば、開封予定線に沿って、略ハの字型をなすように傾斜した２つの対をなす切れ目を所要間隔の断続状に形成した切れ目線をハーフカットにより包装袋の表フィルムと裏フィルムに波形に形成して、表フィルムと裏フィルムの波のピッチを相互に交差するようにするか、あるいは、片側のフィルムのみ波形の変形ミシン目状の切目線を設けて、他方のフィルムには略直線状の変形ミシン目状の切目線を形成し、開封後の表フィルムと裏フィルムの開封線が完全には重ならず、開口部の口開きを容易した包装袋があった（特許文献１）。
【０００６】
また、包装袋の表フィルムと裏フィルムのそれぞれ、表側開封予定線と裏側開封予定線をハーフカット線で、包装袋の左右両端より内方に向かって直線状に設け、表側開封予定線は直線の両端を結び、上に凸の曲線を設け、裏側開封予定線は直線の両端を結び、下に凸の曲線を設け、開封後、容易に摘んで開口することができるようにした包装袋があった（特許文献２）。
【０００７】
開口部に再封止手段を有し、再封止手段とトップシール部の間に、易開封手段を設け、易開封手段は、左右サイドシール部外縁に設けた易開封加工部と、表面積層体に設けた上に凸の形状を有する表面ハーフカット線ａと、表面積層体に設けた下に凸の形状を有する表面ハーフカット線ｂと、裏面積層体に設けた直線状の裏面ハーフカット線とからなり、表面ハーフカット線ａと表面ハーフカット線ｂとは、凸部が外側になるように裏面ハーフカット線を中心に上下対称に設けられ、これら２本の表面ハーフカット線は、いずれも左サイドシール部上の１点を始点とし、右サイドシール部上の１点を終点とすることを特徴とする包装袋があった（特許文献３）。
【０００８】
公知文献を以下に示す。
【先行技術文献】
【特許文献】
【０００９】
【特許文献１】特開２００１−２４００７４号公報
【特許文献２】特開２００５−２８９３９６号公報
【特許文献３】特開２０１４−５１３１０号公報
【発明の概要】
【発明が解決しようとする課題】
【００１０】
前述のこれらの包装袋は、表フィルムと裏フィルムに異なる開封予定線を設けて、開封後の開封線が表裏のフィルムで同一位置にならないようにしているが、必ずしも指で摘みやすくなかったり、引裂いた開封線が、ハーフカット線などの開封予定線から外れてしまったりする恐れがあった。
【００１１】
本発明は上記のような事情に鑑みてなされたもので、開封したときに、指で摘みやすく、口開きが容易にできる包装袋を提供することを課題とする。
【課題を解決するための手段】
【００１２】
本発明は係る課題に鑑みなされたものであり、請求項１の発明は、表フィルムと裏フィルムを重ね合わせ、重ね合わせた前記表フィルムと前記裏フィルムの周縁部をシールした包装袋であって、
前記表フィルムと前記裏フィルムのそれぞれに、開封するための切断を誘導する易切断線を形の異なる表側易切断線と裏側易切断線とで設け、前記表側易切断線は複数の易切断線からなり、複数の前記易切断線は互いに一箇所以上で交差していることを特徴とする包装袋である。
【００１３】
本発明の請求項２の発明は、複数の前記易切断線が、左右中央で互いに交差していることを特徴とする請求項１に記載の包装袋である。
【００１４】
本発明の請求項３の発明は、前記表側易切断線と前記裏側易切断線の左右のシール部の一方あるいは両方に、引き裂き開始部が設けられていることを特徴とする請求項１または２に記載の包装袋である。
【発明の効果】
【００１５】
本発明の包装袋は、開封したときに、表裏のフィルムの開封線が必ずずれて形成されることにより、指で摘みやすく、口開きが容易にできる。
【図面の簡単な説明】
【００１６】
【図１】本発明の包装袋の第１の実施形態を模式的に正面で示した説明図である。
【図２】本発明の包装袋の第１の実施形態の変形例を模式的に正面で示した説明図である。
【図３】本発明の包装袋の第２の実施形態を模式的に正面で示した説明図である。
【図４】本発明の包装袋の第３の実施形態を模式的に正面で示した説明図である。
【図５】本発明の包装袋の第３の実施形態の変形例を模式的に正面で示した説明図である。
【図６】本発明の包装袋の第４の実施形態を模式的に正面で示した説明図である。
【図７】本発明の包装袋に用いる積層体の一例を模式的に断面で示した説明図である。
【発明を実施するための形態】
【００１７】
＜第１の実施形態＞
以下、本発明を実施するための第１の実施形態につき説明する。
図１は、本発明の包装袋の第１の実施形態を模式的に正面で示した説明図、図２は、本発明の包装袋の第１の実施形態の変形例を模式的に正面で示した説明図である。
【００１８】
第１の実施形態の包装袋１００は、図１のように、表フィルム１と裏フィルム２を重ね合わせ、重ね合わせた表フィルム１と裏フィルム２の周縁部をシールし、左サイドシール部３、右サイドシール部４、天シール部５、底シール部６を設けた包装袋である。
【００１９】
そして、天シール部５の近傍に開封するための切断を誘導する易切断線を設けてある。易切断線は、表フィルム１と裏フィルム２のそれぞれに、形の異なる表側易切断線７と裏側易切断線８とで設け、表側易切断線７は、２本の傾斜した易切断線７ａ、７ｂからなり、２本の易切断線７ａ、７ｂは互いに、包装袋１００の左右中央で交差している。
【００２０】
これらの表側易切断線７の易切断線７ａ、７ｂは、ハーフカット線で設けられている。そしてこのように、ハーフカット線からなる表側易切断線７の易切断線７ａ、７ｂが交差して設けられているので、引き裂いて切断した開封線が表側易切断線７から外れることがない。
【００２１】
裏側易切断線８は水平に設けられた直線のハーフカット線からなっている。そのため、裏側易切断線８もまた、引き裂いて切断した開封線が外れることがない。
【００２２】
表側易切断線７の２本の傾斜した易切断線７ａ、７ｂが交差する交点は、裏側易切断線８の直線が通る位置またはその近傍に来るように設けられている。また、表側易切断線７や裏側易切断線８の左右の両端部は、サイドシール部３、４の中間部分にあり、その先の左右のサイドシール部３、４の外端縁から易切断線７、８に向かう引き裂き開始部９が設けられている。
【００２３】
本実施形態では引き裂き開始部９がＶノッチで設けられているがこれに限る必要はなく、他の形状のノッチや切れ込み、あるいは、横方向の短い直線からなる傷加工で設けてもよい。
【００２４】
包装袋１００では、表側易切断線７や裏側易切断線８の左右の両端部を、サイドシール部３、４の中間部分に来るように設けたが、図２の包装袋１００ａのように、表側易切断線７を、サイドシール部３、４の外端縁まで伸ばし、裏側易切断線８をサイドシール部３、４の外端縁の引き裂き開始部９にまで延ばしてもよい。
【００２５】
このように、包装袋１００、１００ａの表フィルム１の表側易切断線７が、２本の傾斜した易切断線７ａ、７ｂで、左右中央で交差するように設けられているので、引き裂き開始部９から引き裂いたときに、表フィルム１の引き裂かれた開封線は、引き裂く人の引き裂く力の掛かり方や方向性の癖により、易切断線７ａに沿って引き裂かれたり、易切断線７ｂに沿って引き裂かれたり、更には、初め易切断線７ａに沿って引き裂かれ、交差する交点で易切断線７ｂに沿って引き裂かれたり、初め易切断線７ｂに沿って引き裂かれ、交差する交点で易切断線７ａに沿ったりして引き裂かれるが、それをその都度考慮・修正して引き裂くことができる。
【００２６】
一方、裏フィルム２は、水平な直線の裏側易切断線８に沿って切り裂かれ開封線が直線状になるので、表フィルム１の開封線とは異なり、表フィルム１の開封線と裏フィルム２の開封線とが異なることにより開封部分に段差ができる。このため、口開きするときに、指で摘みやすく口開きが容易にできる。
【００２７】
＜第２の実施形態＞
以下、本発明を実施するための第２の実施形態につき説明する。
図３は、本発明の包装袋の第２の実施形態を模式的に正面で示した説明図である。
【００２８】
第２の実施形態の包装袋２００は、図３のように、包装袋１００と同様に、表フィルム１と裏フィルム２を重ね合わせ、重ね合わせた表フィルム１と裏フィルム２の周縁部をシールし、左サイドシール部３、右サイドシール部４、天シール部５、底シール部６を設けた包装袋である。
【００２９】
そして、天シール部５の近傍に開封するための切断を誘導する易切断線を設けてある。易切断線は、表フィルム１と裏フィルム２のそれぞれに、形の異なる表側易切断線７と裏側易切断線８とで設け、表側易切断線７は、包装袋１００と同様に、２本の傾斜した直線状の易切断線７ａ、７ｂからなり、２本の易切断線７ａ、７ｂは互いに、包装袋２００の左右中央で交差している。包装袋２００では更に、表フィルム１に直線状の易切断線１０ａ、１０ｂが易切断線７ａ、７ｂの上端あるいは下端に接するように設けられている。このように、交差しない他の易切断線を設けることもできる。
【００３０】
これらの表側易切断線７の易切断線７ａ、７ｂや、易切断線１０ａ、１０ｂは、ハーフカット線で設けられている。そしてこのように、ハーフカット線からなる表側易切断線７の易切断線７ａ、７ｂが交差して設けられているので、引き裂いて切断した開封線が表側易切断線７から外れることがない。
【００３１】
また、易切断線１０ａ、１０ｂが設けられているので、引き裂いて行く途中で万が一、易切断線７ａ、７ｂから開封線が外れても、易切断線１０ａ、１０ｂに沿って引き裂いて開封することができる。
【００３２】
裏側易切断線８は水平に設けられた直線のハーフカット線からなっている。そのため、裏側易切断線８もまた、引き裂いて切断した開封線が外れることがない。
【００３３】
表側易切断線７の２本の傾斜した易切断線７ａ、７ｂが交差する交点は、裏側易切断線８の直線が通る位置またはその近傍に来るように設けられている。
【００３４】
また、裏側易切断線８の直線の両端部の先の左右のサイドシール部３、４には、外端縁から易切断線７、８に向かう引き裂き開始部９が設けられている。本実施形態では引き裂き開始部９が横方向の短い直線からなる傷加工で設けられている。これに限ることなく、引き裂き開始部９をＶノッチやＩノッチなどのノッチや、切れ込みで設けてもよい。
【００３５】
このように、包装袋２００の表フィルム１には、表側易切断線７の２本の傾斜した易切断線７ａ、７ｂが、左右中央で交差するように設けられ、更に、易切断線１０ａ、１０ｂが設けられている。
【００３６】
このため、引き裂き開始部９から引き裂いたときに、表フィルム１の引き裂かれた開封線は、引き裂く人の引き裂く力の掛かり方や方向性の癖により、易切断線７ａに沿って引き裂かれたり、易切断線７ｂに沿って引き裂かれたり、更には、初め易切断線７ａに沿って引き裂かれ、交差する交点で易切断線７ｂに沿って引き裂かれたり、初め易切断線７ｂに沿って引き裂かれ、交差する交点で易切断線７ａに沿ったりして引き裂かれる。また、易切断線７ａ、７ｂから開封線が外れて、易切断線１０ａ、１０ｂに沿って引き裂かれる。これをその都度考慮・修正して引き裂くことができる。
【００３７】
一方、裏フィルム２は、水平な直線の裏側易切断線８に沿って切り裂かれ開封線が直線状になるので、表フィルム１の開封線とは異なり、表フィルム１の開封線と裏フィルム２の開封線とが異なることにより開封部分に段差ができる。このため、口開きするときに、指で摘みやすく口開きが容易にできる。
【００３８】
＜第３の実施形態＞
以下、本発明を実施するための第３の実施形態につき説明する。
図４は、本発明の包装袋の第３の実施形態を模式的に正面で示した説明図、図５は、本発明の包装袋の第３の実施形態の変形例を模式的に正面で示した説明図である。
【００３９】
第３の実施形態の包装袋３００は、図４のように、包装袋１００と同様に、表フィルム１と裏フィルム２を重ね合わせ、重ね合わせた表フィルム１と裏フィルム２の周縁部をシールし、左サイドシール部３、右サイドシール部４、天シール部５、底シール部６を設けた包装袋である。
【００４０】
そして、天シール部５の近傍に開封するための切断を誘導する易切断線を設けてある。易切断線は、表フィルム１と裏フィルム２のそれぞれに、形の異なる表側易切断線７と裏側易切断線８とで設け、表側易切断線７は、両端部が水平な直線で、中央で傾斜した直線からなる２本の易切断線７ａ、７ｂからなっている。２本の易切断線７ａ、７ｂは互いに、包装袋３００の左右中央で交差している。
【００４１】
これらの表側易切断線７の易切断線７ａ、７ｂは、ハーフカット線で設けられている。そしてこのように、表側易切断線７のハーフカット線からなる易切断線７ａ、７ｂが交差して設けられているので、引き裂いて切断した開封線が表側易切断線７から外れることがない。
【００４２】
裏側易切断線８は水平に設けられた直線のハーフカット線からなっている。そのため、裏側易切断線８もまた、引き裂いて切断した開封線が外れることがない。
【００４３】
表側易切断線７の２本の易切断線７ａ、７ｂが交差する交点は、裏側易切断線８の直線が通る位置またはその近傍に来るように設けられている。また、表側易切断線７や裏側易切断線８の左右の両端部は、サイドシール部３、４の中間部分にあり、その先の左右のサイドシール部３、４の外端縁から易切断線７、８に向かう引き裂き開始部９が設けられている。
【００４４】
本実施形態では引き裂き開始部９が横方向の短い直線からなる傷加工で設けられている。これに限ることなく、引き裂き開始部９をＶノッチやＩノッチなどのノッチや、切れ込みで設けてもよい。
【００４５】
包装袋３００では、表側易切断線７や裏側易切断線８の左右の両端部を、サイドシール部３、４の中間部分に来るように設けたが、図５の包装袋３００ａのように、表側易切断線７を、サイドシール部３、４の外端縁まで伸ばし、裏側易切断線８をサイドシール部３、４の外端縁の引き裂き開始部９にまで延ばしてもよい。
【００４６】
このように、包装袋３００、３００ａの表フィルム１の表側易切断線７が、２本の易切断線７ａ、７ｂで、左右中央で交差するように設けられているので、引き裂き開始部９から引き裂いたときに、表フィルム１の引き裂かれた開封線は、引き裂く人の引き裂く力の掛かり方・方向性の癖により、易切断線７ａに沿って引き裂かれたり、易切断線７ｂに沿って引き裂かれたり、更には、初め易切断線７ａに沿って引き裂かれ、交差する交点で易切断線７ｂに沿って引き裂かれたり、初め易切断線７ｂに沿って引き裂かれ、交差する交点から易切断線７ａに沿ったりして引き裂かれるが、それをその都度考慮・修正して引き裂くことができる。
【００４７】
一方、裏フィルム２は、水平な直線の裏側易切断線８に沿って切り裂かれ開封線が直線
状になるので、表フィルム１の開封線とは異なり、表フィルム１の開封線と裏フィルム２の開封線とは異なることで開封部分に段差ができる。このため、口開きするときに、指で摘みやすく口開きが容易にできる。
【００４８】
＜第４の実施形態＞
以下、本発明を実施するための第４の実施形態につき説明する。
図６は、本発明の包装袋の第４の実施形態を模式的に正面で示した説明図である。
【００４９】
第４の実施形態の包装袋４００は、図６のように、包装袋１００と同様に、表フィルム１と裏フィルム２を重ね合わせ、重ね合わせた表フィルム１と裏フィルム２の周縁部をシールし、左サイドシール部３、右サイドシール部４、天シール部５、底シール部６を設けた包装袋である。
【００５０】
そして、天シール部５の近傍に開封するための切断を誘導する易切断線を設けてある。易切断線は、表フィルム１と裏フィルム２のそれぞれに、形の異なる表側易切断線７と裏側易切断線８とで設け、表側易切断線７は、右下がりの曲線の易切断線７ａと左下がりの曲線の易切断線７ｂとからなっている。２本の易切断線７ａ、７ｂは互いに、包装袋４００の左右中央で交差している。
【００５１】
これらの表側易切断線７の易切断線７ａ、７ｂは、ハーフカット線で設けられている。そしてこのように、表側易切断線７のハーフカット線からなる易切断線７ａ、７ｂが交差して設けられているので、引き裂いて切断した開封線が表側易切断線７から外れることがない。
【００５２】
裏側易切断線８は水平に設けられた直線のハーフカット線からなっている。そのため、裏側易切断線８もまた、引き裂いて切断した開封線が外れることがない。
【００５３】
表側易切断線７の易切断線７ａ、７ｂの両端部は、上下に位置している。この上下に位置している易切断線７ａ、７ｂの両端部の間に、水平に設けられた直線の裏側易切断線８が位置するようになっている。
【００５４】
また、裏側易切断線８の直線の両端部の先の左右のサイドシール部３、４には、外端縁から易切断線７、８に向かう引き裂き開始部９が設けられている。本実施形態では引き裂き開始部９が横方向の短い直線からなる傷加工で設けられている。これに限ることなく、引き裂き開始部９をＶノッチやＩノッチなどのノッチや、切れ込みで設けてもよい。
【００５５】
このように、包装袋４００の表フィルム１の表側易切断線７が、２本の易切断線７ａ、７ｂで、左右中央で交差するように設けられているので、引き裂き開始部９から引き裂いたときに、表フィルム１の引き裂かれた開封線は、引き裂く人の引き裂く力の掛かり方・方向性の癖により、易切断線７ａに沿って引き裂かれたり、易切断線７ｂに沿って引き裂かれたり、更には、初め易切断線７ａに沿って引き裂かれ、交差する交点で易切断線７ｂに沿って引き裂かれたり、初め易切断線７ｂに沿って引き裂かれ、交差する交点から易切断線７ａに沿ったりして引き裂かれるが、それをその都度考慮・修正して引き裂くことができる。
【００５６】
一方、裏フィルム２は、水平な直線の裏側易切断線８に沿って切り裂かれ開封線が直線状になるので、表フィルム１の開封線とは異なり、表フィルム１の開封線と裏フィルム２の開封線とは異なることで開封部分に段差ができる。このため、口開きするときに、指で摘みやすく口開きが容易にできる。
【００５７】
以下、使用する材料や加工について説明する。
図７は、本発明の包装袋に用いる積層体の一例を模式的に断面で示した説明図である。
【００５８】
本発明の包装袋の表フィルム１および裏フィルム２は、図７のように、基材層１１１とシーラント層１１２とを貼り合わせた積層フィルム１１０からなっている。基材層１１１やシーラント層１１２は、更に積層された多層になっていてもよい。
【００５９】
基材層１１１には、ナイロン、ポリエチレンテレフタレート、ポリプロピレン等の樹脂の２軸延伸、あるいは、１軸延伸、未延伸のプラスチックフィルムが好ましく使用できる。その場合の厚さは１２〜５０μｍ程度が好ましい。
【００６０】
また、金属や無機物を蒸着した蒸着フィルムを、基材層１１１として用いることもできる。また、これらを組み合わせて、基材層１１１を多層にして設けても良い。さらには、アルミ箔などの金属箔も、多層の基材フィルムの１層として設けることもできる。
【００６１】
シーラント層１１２には、ポリプロピレンや、低密度ポリエチレン、直鎖状低密度ポリエチレン、あるいは、酸変性ポリエチレンなどの熱溶融性樹脂が用いられる。また、シーラント層１１２に多層の共押し出しフィルムを用いても良い。多層の共押し出しフィルムのシーラント層１１２としては、低密度ポリエチレンや高密度ポリエチレンを中間層として、両面に直鎖状低密度ポリエチレンの層を設けたものが好ましく用いられる。
【００６２】
シーラント層１１２の厚さは、内容物の量によって、調整されるものであるが、８０μｍから２００μｍの厚さが好ましく、より好ましくは、１００μｍから１５０μｍが好ましく使用できる。
【００６３】
また、絵柄印刷層を基材層１１１の裏面などに設けることができる。また、多層の基材層１１１の場合は、基材層１１１の最外層のフィルムに絵柄印刷層を設けることが好ましい。絵柄印刷層を設ける印刷方式は、特に限定するものではないが、通常、グラビア印刷、あるいは、フレキソ印刷が用いられる。
【００６４】
易切断線はハーフカット線で設けることができる。ハーフカット線１１３は、ロール状などの金属刃を用いて、図７（Ａ）のように、表側から基材層１１１に入れることができる。この場合、基材層１１１の途中まで刃が入っていても、基材層１１１を越えて、シーラント層１１２の途中まで刃が入っていてもよい。
【００６５】
また、ハーフカット線１１３を基材層１１１側から照射するレーザー加工で設けることができる。用いるレーザーには炭酸ガスレーザーが好ましく用いられる。ハーフカット線をレーザー加工で設ける場合では、多層の基材層１１１の最外層には設けないようにして、図７（Ｂ）のように、基材層１１１の内側層に設けることもできる。
【００６６】
本発明の包装袋は、説明した各実施形態では４方シール袋であったが、これに限られるものではなく、スタンディングパウチや、天部あるいは地部を折り返した３方シール袋などでもかまわない。左右のサイドシール部の設けられた袋であればよい。
【００６７】
以上のように本発明の包装袋は、表フィルムと裏フィルムのそれぞれに、開封するための切断を誘導する易切断線を、形の異なる表側易切断線と裏側易切断線とで設け、表側易切断線は、複数の易切断線からなり、複数の前記易切断線は互いに、一箇所以上で交差している。
【００６８】
このため、横方向に引き裂いて開封したときに、表フィルム１の引き裂かれた開封線は
、引き裂く人の引き裂く力の掛かり方・方向性の癖により、複数の易切断線のいずれかに沿って引き裂かれ、交差する交点で他の易切断線に沿ったり、そのまま元の易切断線に沿ったりするが、開封する人はそれをその都度考慮・修正して引き裂くことができる。
【００６９】
一方、裏フィルムは、表側易切断線と形が異なる裏側易切断線に沿って切り裂かれ、表フィルムの開封線と裏フィルムの開封線とは異なり段差ができる。このため、口開きするときに、指で摘みやすく口開きが容易にできる。
【符号の説明】
【００７０】
１００、１００ａ、２００、３００、３００ａ、４００・・・包装袋
１・・・表フィルム
２・・・裏フィルム
３・・・左サイドシール部
４・・・右サイドシール部
５・・・天シール部
６・・・底シール部
７・・・表側易切断線
７ａ、７ｂ、１０ａ、１０ｂ・・・易切断線
８・・・裏側易切断線
９・・・引き裂き開始部
１１０・・・積層フィルム
１１１・・・基材層
１１２・・・シーラント層
１１３・・・ハーフカット線
【図１】
2016113209.tif 000003
【図２】
2016113209.tif 000004
【図３】
2016113209.tif 000005
【図４】
2016113209.tif 000006
【図５】
2016113209.tif 000007
【図６】
2016113209.tif 000008
【図７】
2016113209.tif 000009